【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
ピペットチップであって、
内面を含み前記ピペットチップの開口近位端と開口遠位端との間で前記ピペットチップの中央長手軸に沿って延びる開口内側通路を備えた囲繞側壁、
前記囲繞側壁の内面に形成され前記開口近位端より遠位の第１セクションであって、第１の直径を有する筒状上側第１部分と、前記第１の直径を有する筒状下側第１部分と、前記筒状上側第１部分と前記筒状下側第１部分との間に置かれた環状溝とを有してなり、第１の長さを有する第１セクション、
筒状の面を有し前記囲繞側壁の前記内面に形成され前記第１セクションより遠位の第２セクションであって、前記第１の直径より小さい第２の直径をし、第２の長さを有する第２セクション、
前記第１セクションと前記第２セクションとの接合部で前記囲繞側壁の前記内面に形成された停止肩面、
筒状の面を有し前記囲繞側壁の前記内面に形成され前記第２セクションより遠位の第３セクションであって、前記第２の直径よりより小さい第３の直径を有し、第３の長さを有する第３セクション、
前記囲繞側壁の前記内面に形成され前記第２セクションと前記第３セクションとの間に置かれた密封座部であって、前記第２セクションとの接合部に上側環状密封座面端と、前記第３セクションとの接合部に下側環状密封座面端と、前記上側環状密封座面端と前記下側環状密封座面端との間に置かれた密封座面とを有してなり、前記上側環状密封座面端が前記下側環状密封座面端よりも直径が大きい密封座部、および
前記第３セクションと前記開口遠位端との間で前記第３セクションに隣接して前記囲繞側壁の前記内面に形成された少なくとも１つの円錐台形セクションを有してなる、ピペットチップ。
【請求項２】
前記停止肩面が、環状で、前記ピペットチップの前記中央長手軸に垂直な平らな面である、請求項１記載のピペットチップ。
【請求項３】
前記第２の長さが前記第１の長さよりも小さい、請求項１記載のピペットチップ。
【請求項４】
前記第３の長さが前記第１の長さよりも大きい、請求項３記載のピペットチップ。
【請求項５】
前記囲繞側壁の前記内面に形成され、前記開口近位端から半径方向内方に延び、前記第１セクションの近位端で終端する、環状の面取りされた内面をさらに有してなり、
前記停止肩面が環状で、前記ピペットチップの前記中央長手軸に垂直な平らな面であり、
前記密封座面の一部が、環状で、前記ピペットチップの前記中央長手軸に垂直な平らな面であり、
前記環状溝が凹状であり、および
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位にある第５セクションとを有してなり、
前記第５セクションが前記第４セクションより大きなテーパを有する、請求項４記載のピペットチップ。
【請求項６】
前記密封座面が環状で凹状の面である、請求項４記載のピペットチップ。
【請求項７】
前記密封座面が環状で凸状の面である、請求項４記載のピペットチップ。
【請求項８】
前記環状溝が、第１の環状で傾斜した溝面、前記第１の環状で傾斜した溝面に隣接した環状で凹状の溝面、および前記環状で凹状の溝面に隣接した第２の環状で傾斜した溝面をさらに有してなる、請求項４記載のピペットチップ。
【請求項９】
前記環状溝が、環状で傾斜した溝面、および前記環状で傾斜した溝面に隣接した環状で凹状の溝面をさらに有してなる、請求項４記載のピペットチップ。
【請求項１０】
前記環状溝が、第１の環状で凹状の溝面、前記第１の環状で凹状の溝面に隣接した環状の溝面、および前記環状の溝面に隣接した第２の環状で凹状の溝面をさらに有してなる、請求項４記載のピペットチップ。
【請求項１１】
前記囲繞側壁の前記内面に形成され前記開口近位端から半径方向内方に延び前記第１セクションの近位端で終端する、環状の面取りされた内面をさらに有してなり、
前記停止肩面が環状で、前記ピペットチップの前記中央長手軸に垂直な平らな面であり、
前記密封座面の一部が環状で、前記ピペットチップの前記中央長手軸に垂直な平らな面であり、
前記環状溝が複数の隣接する環状の溝面をさらに有してなり、
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとをさらに有してなり、
前記第５セクションが前記第４セクションより大きなテーパを有する、請求項４記載のピペットチップ。
【請求項１２】
前記密封座面が円錐台形の環状面である、請求項３記載のピペットチップ。
【請求項１３】
前記囲繞側壁の前記内面内に形成され、前記開口近位端から半径方向内方に延び、前記第１セクションの近位端で終端する、環状の面取りされた内面をさらに有してなる、請求項３記載のピペットチップ。
【請求項１４】
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとをさらに有してなり、
前記第５セクションが前記第４セクションより大きなテーパを有する、請求項３記載のピペットチップ。
【請求項１５】
前記密封座面が、円周状で上向きの歯端面をさらに有してなる、請求項３記載のピペットチップ。
【請求項１６】
前記環状溝がＶ形状の溝である、請求項３記載のピペットチップ。
【請求項１７】
前記環状溝が複数の隣接する環状の溝面をさらに有してなる、請求項３記載のピペットチップ。
【請求項１８】
前記複数の隣接する環状の溝面の少なくとも１つが傾斜面である、請求項１７記載のピペットチップ。
【請求項１９】
前記複数の隣接する環状の溝面の少なくとも１つが傾斜面であり、
前記複数の隣接する環状の溝面の少なくとも１つが凹状の面である、請求項１７記載のピペットチップ。
【請求項２０】
前記複数の隣接する環状の溝面の少なくとも１つが前記中央長手軸に平行である、請求項１７記載のピペットチップ。
【請求項２１】
前記複数の隣接する環状の溝面の少なくとも１つが前記中央長手軸に垂直である、請求項１７記載のピペットチップ。
【請求項２２】
前記囲繞側壁の前記内面に形成され前記開口近位端から半径方向内方に延び前記第１セクションの近位端で終端する、環状の面取りされた内面をさらに有してなり、
前記停止肩面が環状で、前記ピペットチップの前記中央長手軸に垂直な平らな面であり、
前記密封座面が、環状で、凹状の面であり、
前記環状溝が凹状であり、および
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとをさらに有してなり、
前記第５セクションが前記第４セクションより大きなテーパを有する、請求項３記載のピペットチップ。
【請求項２３】
前記囲繞側壁の前記内面に形成され前記開口近位端から半径方向内方に延び前記第１セクションの近位端で終端する、環状の面取りされた内面をさらに有してなり、
前記停止肩面が環状で、前記ピペットチップの前記中央長手軸に垂直な平らな面であり、
前記密封座面が、環状で、凸状の面であり、
前記環状溝が凹状であり、および
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとをさらに有してなり、
前記第５セクションが前記第４セクションより大きなテーパを有する、請求項３記載のピペットチップ。
【請求項２４】
前記囲繞側壁の前記内面に形成され前記開口近位端から半径方向内方に延び前記第１セクションの近位端で終端する、環状の面取りされた内面をさらに有してなり、
前記停止肩面が環状で、前記ピペットチップの前記中央長手軸に垂直な平らな面であり、
前記密封座面の一部が円周状で上向き歯端状の面を有してなり、
前記環状溝が凹状であり、および
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとを有してなり、
前記第５セクションが前記第４セクションより大きなテーパを有する、請求項３記載のピペットチップ。
【請求項２５】
前記囲繞側壁の前記内面に形成され前記開口近位端から半径方向内方に延び、前記第１セクションの近位端で終端する、環状の面取りされた内面をさらに有してなり、
前記停止肩面が環状で、前記ピペットチップの前記中央長手軸に垂直な平らな面であり、
前記密封座面の一部が、環状で、前記ピペットチップの前記中央長手軸に垂直な平らな面であり、
前記環状溝がＶ形状の溝であり、および
前記少なくとも１つの円錐台形セクションが、前記囲繞側壁の前記内面に形成され前記第３セクションより遠位の第４セクションと、前記囲繞側壁の前記内面に形成され前記第４セクションより遠位で前記開口遠位端の近位の第５セクションとをさらに有してなり、
前記第５セクションが前記第４セクションより大きなテーパを有する、請求項３記載のピペットチップ。
【請求項２６】
前記密封座面の一部が環状で、前記ピペットチップの前記中央長手軸に垂直な平らな面である、請求項１記載のピペットチップ。
【請求項２７】
前記囲繞側壁の前記内面に形成され前記開口近位端から半径方向内方に延び前記第１セクションの近位端で終端する、環状の面取りされた内面をさらに有してなり、
前記停止肩面が環状で、前記ピペットチップの前記中央長手軸に垂直な平らな面であり、
前記密封座面が、円錐台形の環状面であり、
前記環状溝が凹状であり、および
前記少なくとも１つの円錐台形セクションが、
前記囲繞側壁の前記内面に形成され前記第３セクションより遠位の第４セクションと、
前記囲繞側壁の前記内面に形成され前記第４セクションより遠位で前記開口遠位端の近位の第５セクションとを有してなり、
前記第５セクションが前記第４セクションより大きなテーパを有する、請求項１記載のピペットチップ。
【請求項２８】
前記囲繞側壁が導電性材料から作られる、請求項２７記載のピペットチップ。
【請求項２９】
前記囲繞側壁が導電性材料から作られる、請求項１記載のピペットチップ。
【請求項３０】
前記筒状上側第１部分と前記環状溝との間の第１の接合部が面取りされており、および前記筒状下側第１部分と前記環状溝との間の第２の接合部が面取りされている、請求項１記載のピペットチップ。